(57)【特許請求の範囲】
【請求項１】
発信側通信端末と、留守番機能を有する受信側通信端末と、発信側通信端末からの呼出に対して受信側通信端末が応答できないときに発信側通信端末からの発信情報を受信側通信端末に代わって記憶する情報転送センタと、通信端末同士および通信端末機と情報転送センタとを接続する交換手段とを備える通信システムにおいて、
前記情報転送センタは、発信側通信端末からの発信情報を記憶するセンタ側記憶手段と、発信側通信端末からの発信情報を代行記憶した旨の通知信号を含む前情報信号を生成する第１信号生成手段と、この前情報信号を前記受信側通信端末に送信する送信手段とを有し、
前記受信側通信端末は、前情報信号において前記通知信号を検出する検出手段と、前記通知信号を検出したときに前記情報転送センタを自動的に呼び出す自動呼出手段と、情報転送センタに代行記憶された情報の転送を要求する転送要求信号を生成する第２信号生成手段と、情報転送センタから転送された情報を記憶する受信側記憶手段とを有することを特徴とする通信システム。
【請求項２】
前記受信側通信端末がモード選択手段をさらに有し、このモード選択手段によって、前記情報転送センタからの通知信号を検出したときに、前記情報転送センタを呼び出し前記センタ側記憶手段に記憶されている前記情報を転送させて受信側記憶手段に記憶する第１のモードと、前記情報転送センタからの通知信号を検知しても情報転送センタを呼び出さない第２のモードとに選択可能である請求項１記載の通信システム。
【請求項３】
前記受信側通信端末が表示手段をさらに有し、前記モード選択手段において、前記検出手段が前情報信号から前記通知信号を検出したとき、前記表示手段に、情報転送センタに未転送の情報がある旨を表示させると共に、予め設定された時刻に自動呼出手段および第２信号生成手段を機能させて、情報転送センタから前記情報を転送させ受信側記憶手段に記憶させる第３のモードを選択可能である請求項２記載の通信システム。
【請求項４】
前記受信側通信端末が表示手段と操作キーとをさらに有し、前記モード選択手段で第２のモードが設定されている場合に、前記検出手段が前情報信号から前記通知信号を検出したとき、前記表示手段に、情報転送センタに未転送の情報がある旨を表示させ、前記操作キーにより自動呼出手段および第２信号生成手段を機能させて、情報転送センタから前記情報を転送させ受信側記憶手段に記憶させる請求項２又は３記載の通信システム。
【請求項５】
前記モード選択手段として、前記受信側通信端末に設けられた操作キーを用いる請求項２〜４のいずれかに記載の通信システム。
【請求項６】
前記受信側通信端末が、前記受信側記憶手段の使用状況を管理する管理手段をさらに有し、前記受信側記憶手段の空き領域が十分にないと前記管理手段が判断したとき、前記受信側通信端末機のモードを第２のモードに切り換える請求項２〜５のいずれかに記載の通信システム。
【請求項７】
前記受信側通信端末が、前記受信側記憶手段の使用状況を管理する管理手段をさらに有し、前記受信側記憶手段の空き領域が十分にないと前記管理手段が判断したとき、前記受信側記憶手段に記憶されている最も古い情報を削除する、またはその情報の上に新しい情報を上書きする請求項２〜５のいずれかに記載の通信システム。
【請求項８】
前記受信側通信端末が、前記受信側記憶手段の使用状況を管理する管理手段をさらに有し、前記情報転送センタから転送される情報を受信側記憶手段に記憶中に、前記管理手段が受信側記憶手段の空き領域が十分にないと判断したとき、前記受信側通信端末機のモードを第２のモードに切り換える請求項２〜５のいずれかに記載の通信システム。
【請求項９】
前記第１信号生成手段が、受信側通信端末のリンガーによる報知を禁止する信号をさらに生成し、この報知禁止信号を前記前情報信号に含めて受信側通信端末に送信することにより、リンガーによる報知を行うことなく、センタ側記憶手段に情報が代行記憶されていることを前記受信側通信端末に通知する請求項１〜８のいずれかに記載の通信システム。
【請求項１０】
前記発信側通信端末および前記受信側通信端末が電話機又はファクシミリである請求項１〜９のいずれかに記載の通信システム。
【請求項１１】
発信側通信端末からの呼出に対して受信側通信端末が応答できないときに発信側通信端末からの発信情報を受信側通信端末に代わって情報転送センタが記憶する通信システムに用いる通信端末であって、
発信側通信端末からの発信情報を代行記憶した旨の前記情報転送センタからの通知信号を検出する検出手段と、前記通知信号を検出したときに前記情報転送センタを自動的に呼び出す自動呼出手段と、情報転送センタに代行記憶された情報の転送を要求する転送要求信号を生成する信号生成手段と、情報転送センタから転送された情報を記憶する記憶手段とを有することを特徴とする通信端末。
【発明の詳細な説明】
【０００１】
【発明の属する技術分野】
本発明は、通信システムおよび通信端末に関し、より詳細には受信側通信端末が応答できない場合であっても、発信側通信端末から受信側通信端末に対して送信された音声メッセージ等の情報を情報転送センタが記憶する通信システムおよびこの通信システムに用いる通信端末に関するものである。
【０００２】
【従来の技術】
従来、ある電話機（通信端末）から他の電話機に電話をかけた場合に、受信側の電話機が通話中であったとき、発信側電話機からのメッセージを受信側の電話機に代わって情報転送センタが情報として記憶しておき、後で、受信側の電話機からの情報転送センタへの発呼に対して、記憶されたメッセージを再生する技術が知られている。
【０００３】
このようなメッセージ代行受信サービスとして、例えば、東日本電信電話株式会社および西日本電信電話株式会社により提供されているサービス「マジックボックス（登録商標）」がある。このサービスでは、電話機等の受信側通信端末への発呼に対して、受信側通信端末が既に回線を利用している場合や留守などで呼び出しに応答できない場合に、受信側通信端末に代わって通信網提供会社の情報転送センタが応答して、発信側端末からの音声メッセージを録音し、受信側通信端末に情報転送センタに音声メッセージを録音している旨を通知する。この通知を受けた受信側通信端末は、応答が可能な状態になったとき、受信側通信端末から情報転送センタを発呼して、ＰＢ（Push Button）信号によって情報転送センタに録音されている音声メッセージの再生及び転送を要求し、これにより受信側通信端末の電話機の受話器やスピーカから音声メッセージが出力される。
【０００４】
【発明が解決しようとする課題】
しかしながら、このようなサービスでは、ユーザが情報転送センタに録音されている新規メッセージを聞く場合、受信側の電話機から情報転送センタを発呼し、メッセージの再生を要求する信号をダイヤルボタンで送信しなければならず、多くの時間と面倒な操作が必要となりユーザが帰宅後の呼び出し操作を怠るおそれがある。また、ユーザが情報転送センタに録音されたメッセージを聞いている途中で急用が発生したときには、一度電話を切って後でかけ直さなけばならなかった。さらに、情報転送センタでのメッセージの保存時間は限られているため、長期間にわたって留守をする場合には、情報転送センタに録音された音声メッセージが、重要度に関係なく古いものから無差別に消去されてしまうことがあった。
【０００５】
一方、特開平１０−２００６２８号公報では、交換機から送信されるキャッチホン（登録商標）の割り込み音を利用し、留守録音中における他の電話機からの発呼をその割り込み音から検知し、留守録音の通話終了後に、自動的にセンタを呼び出して、センタに録音されたメッセージを再生させ、この音声メッセージを先の留守録音に続けて録音する留守番電話機が提案されている。しかし、このような方法によりセンタに録音された音声メッセージを自動的に取り出すことのできる電話機は、キャッチホンサービスを契約している電話機に限定される。しかも、同一回線をホームファクシミリと切り替えて使用している電話機や、インターネット網に接続のために、パソコンと電話機を切り替え操作で共用している電話機の場合には、割り込み音がファクシミリやパソコンデータに混入し誤動作の原因となりやすいことから、このサービスを利用しているユーザは多いとは言えず、提案技術は今のところ広く一般に利用できるものではない。
【０００６】
本発明はこのような従来の問題に鑑みてなされたものであり、その目的とするところは、ユーザによる面倒な操作が不要で、キャッチホンサービス等の特別なサービスを利用することなく、情報転送センタに記憶されたメッセージを自動的に受信側通信端末に転送させて記憶させる通信システムを提供することにある。
【０００７】
また、本発明の目的は、このような通信システムに用いることができる通信端末を提供することにある。
【０００８】
【課題を解決するための手段】
本発明によれば、発信側通信端末と、留守番機能を有する受信側通信端末と、発信側通信端末からの呼出に対して受信側通信端末が応答できないときに発信側通信端末からの発信情報を受信側通信端末に代わって記憶する情報転送センタと、通信端末同士および通信端末機と情報転送センタとを接続する交換手段とを備える通信システムにおいて、
前記情報転送センタは、発信側通信端末からの発信情報を記憶するセンタ側記憶手段と、発信側通信端末からの発信情報を代行記憶した旨の通知信号を含む前情報信号を生成する第１信号生成手段と、この前情報信号を前記受信側通信端末に送信する送信手段とを有し、前記受信側通信端末は、前情報信号において前記通知信号を検出する検出手段と、前記通知信号を検出したときに前記情報転送センタを自動的に呼び出す自動呼出手段と、情報転送センタに代行記憶された情報の転送を要求する転送要求信号を生成する第２信号生成手段と、情報転送センタから転送された情報を記憶する受信側記憶手段とを有することを特徴とする通信システムが提供される。
【０００９】
ここで、前記受信側通信端末にモード選択手段をさらに設け、このモード選択手段によって、前記情報転送センタからの通知信号を検出したときに、前記情報転送センタを呼び出し前記センタ側記憶手段に記憶されている前記情報を転送させて受信側記憶手段に記憶する第１のモードと、前記情報転送センタからの通知信号を検知しても情報転送センタを呼び出さない第２のモードとに選択可能としてもよい。
【００１０】
さらには前記受信側通信端末に表示手段をさらに設け、前記モード選択手段において、前記検出手段が前情報信号から前記通知信号を検出したとき、前記表示手段に、情報転送センタに未転送の情報がある旨を表示させると共に、予め設定された時刻に自動呼出手段および第２信号生成手段を機能させて、情報転送センタから前記情報を転送させ受信側記憶手段に記憶させる第３のモードを選択可能としてもよい。
【００１１】
また、前記受信側通信端末に表示手段と操作キーとをさらに設け、前記モード選択手段で第２のモードが設定されている場合に、前記検出手段が前情報信号から前記通知信号を検出したとき、前記表示手段に、情報転送センタに未転送の情報がある旨を表示させ、前記操作キーにより自動呼出手段および第２信号生成手段を機能させて、情報転送センタから前記情報を転送させ受信側記憶手段に記憶させるようにしてもよい。
【００１２】
前記モード選択手段としては、受信側通信端末に設けられた操作キーを用いることが好ましい。
【００１３】
前記受信側通信端末に、前記受信側記憶手段の使用状況を管理する管理手段をさらに設け、前記受信側記憶手段の空き領域が十分にないと前記管理手段が判断したとき、前記受信側通信端末機のモードを第２のモードに切り換えるようにしてもよい。
【００１４】
また前記管理手段が、前記受信側記憶手段の空き領域が十分にないと判断したとき、前記受信側記憶手段に記憶されている最も古い情報を削除する、またはその情報の上に新しい情報を上書きするようにするのが好ましい。
【００１５】
さらに前記管理手段が、前記情報転送センタから転送される情報を受信側記憶手段に記憶中に、前記管理手段が受信側記憶手段の空き領域が十分にないと判断したとき、前記受信側通信端末機のモードを第２のモードに切り換えるようにしてもよい。
【００１６】
例えば深夜のリンガー音による迷惑を回避する観点から、第１信号生成手段に、受信側通信端末のリンガーによる報知を禁止する信号をさらに生成させ、この報知禁止信号を前記前情報信号に含めて受信側通信端末に送信させることにより、リンガーによる報知を行うことなく、センタ側記憶手段に情報が代行記憶されていることを前記受信側通信端末に通知するのが望ましい。
【００１７】
前記発信側通信端末および前記受信側通信端末は電話機又はファクシミリであるのが好適である。
【００１８】
また本発明によれば、発信側通信端末からの呼出に対して受信側通信端末が応答できないときに発信側通信端末からの発信情報を受信側通信端末に代わって情報転送センタが記憶する通信システムに用いる通信端末であって、
発信側通信端末からの発信情報を代行記憶した旨の前記情報転送センタからの通知信号を検出する検出手段と、前記通知信号を検出したときに前記情報転送センタを自動的に呼び出す自動呼出手段と、情報転送センタに代行記憶された情報の転送を要求する転送要求信号を生成する信号生成手段と、情報転送センタから転送された情報を記憶する記憶手段とを有することを特徴とする通信端末が提供される。
【００１９】
【発明の実施の形態】
以下、本発明を図面を用いて詳細に説明する。なお、以下の説明では便宜上通信端末として電話機を例に説明するが、本発明で使用できる通信端末はこれに限定されるものではなく、ファクシミリやその他の情報通信端末も使用できる。
【００２０】
図１は、本発明に係る通信システムの一実施の形態を示す構成図である。図１に示した通信システムは、留守番機能を有する電話機（受信側通信端末）１と、電話機（発信側通信端末）５と、電話機１が電話機５からの発呼に対して応答できないときに電話機５から送信される情報を記憶する情報転送センタ３とを備え、さらに電話機１と他の電話機５との接続、及び電話機１と情報転送センタ３との接続、無線基地局６を介して他の携帯通信端末７との接続、さらにはインターネット網８との接続を行い、接続回線相互間の通話やデータ等の情報伝達といった通信を可能とする交換機４を備える。
【００２１】
情報転送センタ３は、電話機５から電話機１に対して送信される情報を記憶するセンタ側記憶手段３２と、電話機５から送信された情報がセンタ側記憶手段３２に記憶されている旨の通知信号を含む前情報信号を生成する第１信号生成手段３３と、前情報信号を電話機１に送信する通信手段３４とを有する。
【００２２】
一方、電話機１は、制御部１１と、留守番機能により録音された音声メッセージおよび情報転送センタ３から転送される音声メッセージ等の転送情報を記憶する受信側記憶手段１２と、受信側記憶手段１２の使用領域や不要情報の消去などを管理する管理手段１３と、情報転送センタ３に記憶された情報を自動的に転送させ記憶処理する第１のモードとその処理を行わない第２のモードとに切り換えるモード選択手段１４と、キー信号を発生させるＰＢ信号生成手段１５と、転送要求信号を生成する第２信号生成手段１６と、前情報信号中の通知信号を検出する検出手段１７と、情報転送センタ３を自動的に呼び出す自動呼出手段１８と、液晶ディスプレイ等からなる表示手段１９、操作キー２０とを有する。受信側記憶手段１２としては例えば磁気的記録媒体、フラッシュメモリなどが挙げられる。
【００２３】
制御部１１は、検出手段１７の検出結果に基づいて自動呼出手段１８により情報転送センタ３を自動的に呼出すると共に、第２信号生成手段１６において生成された転送要求信号を送信し、情報転送センタ３から転送される情報を受信側記憶手段１２に記憶するよう制御する。ここでは説明の便宜上、各機能部が独立した構成部として示したが、ＣＰＵが各機能部の一部あるいは全部を制御部１１の機能と併せて機能する構成としてもよいことは言うまでもない。電話機１は、また、図示しないスピーカ、受話器等を有しており、さらに、スキャナ、プリンタ等のファクシミリ機能部を有していてもよい。
【００２４】
図２に、情報転送センタから発信された前情報信号の受信側通信端末での信号形態を示す。交換機４から着信起動信号５２が送信されてくると、回線の極性が反転し、１６Ｈｚの呼出信号６２に類似し継続時間が呼出信号６２よりも短い交流信号６１が送信される。受信側通信端末では、この交流信号６１により受信側通信端末への着信起動信号５２であることを判断し、一次応答信号５４を回線に送信する。交換機４はこれを検出し、前情報信号５６を受信側通信端末に送信する。そして、受信側通信端末は前情報信号５６の受信が完了すると、受信完了信号６０を回線側に通知する。この信号６０を検出した交換機４は、通常の呼出信号６２を受信側に送信して受信側通信端末に呼出音を発せさせる。この呼出の後、二次応答信号６４が検出されると通常の動作に入り通話が行われる。ここで、前情報信号５６には、センタ側記憶手段３２に受信側通信端末への情報が記憶されている旨の通知信号の他、受信側着信時のリンガー報知の要否、発信者の電話番号、発信者の名前、転送する情報量、転送メディアの種類（音声、ファクシミリ、メールなど）等のデータを含ませることができる。この前情報信号５６は、例えばナンバー・ディスプレイサービスに用いられている信号と同様なＩＴＵ勧告Ｖ．２３に準拠したＭＯＤＥＭ信号を用いることができる。
【００２５】
次に、本発明に係る通信システムの動作例を図３のフローチャートを用いて説明する。発信側通信端末である電話機５から受信側通信端末である電話機１へ発呼が行われる（ステップＳ１０１）。そして、電話機５からの発呼に対して電話機１が応答した場合（ステップＳ１０２）、回線の接続が行われるとともに通常の通信が行われ（ステップＳ１２１）、通信終了後、回線が切断される（ステップ１２２）。
【００２６】
一方、電話機１の回線が既に使用されている場合や留守の場合など、電話機１からの応答がない場合は（ステップＳ１０２）、情報転送センタ３が電話機５に対して所定のガイダンスを送信し（ステップＳ１０３）、このガイダンスにしたがって、電話機５から音声メッセージ等の情報が情報転送センタ３に送信され、センタ側記憶手段３２に記憶される（ステップＳ１０４）。電話機５からの情報が情報転送センタ３に記憶されてから所定時間経過後（ステップ１０５）、情報転送センタ３は電話機１を発呼する（ステップＳ１０６）。この発呼に対して電話機１からの応答がなかった場合は（ステップＳ１０７）、さらに所定時間経過するのを待って情報転送センタ３は電話機１を再度発呼する（ステップＳ１０５）。電話機１が応答するまで情報転送センタ３はこの動作を繰り返す。
【００２７】
情報転送センタ３からの発呼に対して電話機１から応答があった場合（ステップＳ１０７）、情報転送センタ３は電話機１に前情報信号５６（図２に図示）を送信する（ステップＳ１０８）。前情報信号５６を受信した電話機１は、電話機５からの情報を代行記憶した旨の通知信号の有無を検出手段１７によって検出する。
【００２８】
次に、情報転送センタ３に情報が記憶されている場合、電話機１では、情報転送センタ３に情報が記憶されている旨を表示手段１９が表示するとともに、管理手段１３が受信側記憶手段１２に音声メッセージを録音できるか否かを判断する（ステップＳ１０９）。受信側記憶手段１２に音声メッセージを録音できないと判断した場合、その他の対応、例えば情報転送センタ３に情報が記憶されている旨および受信側記憶手段１２の記憶容量がオーバーしている旨を表示手段１９に表示する、あるいは情報転送センタからの情報転送を受けない、受信側記憶手段に記憶されている最も古い情報を削除またはその上に上書きするなどの動作が選択実行される（ステップＳ１３１）。
【００２９】
一方、管理手段１３が受信側記憶手段１２に音声メッセージを録音できると判断した場合（ステップＳ１０９）、モード選択手段１４によって設定されている動作モードが第１のモードか否かを次に判断する（ステップＳ１１０）。第１のモードが選択されている場合、電話機１は自動呼出手段１８により情報転送情報転送センタ３を自動的に呼出し、第２信号生成手段１６で生成した転送要求信号を情報転送センタ３に送信する（ステップＳ１１１）。情報転送センタ３は、転送要求信号および電話機１の電話番号を検出すると、電話番号に基づいて電話機１あての音声メッセージをセンタ側記憶手段３２から読み出すとともに、交換機４を介して音声メッセージを電話機１に転送する（ステップＳ１１２）。
【００３０】
情報転送センタ３からの音声メッセージを電話機１が受信すると（ステップＳ１１３）、管理手段１３が指定する受信側記憶手段１２の指定領域に音声メッセージが記憶され、情報転送センタ３に音声メッセージが録音されている旨表示手段１９に表示される（ステップＳ１１４）。
【００３１】
電話機１の受信側記憶手段１２に録音された、情報転送センタ３からの音声メッセージは、通常の留守番メッセージの呼び出しと同じ手順で操作することによりスピーカや受話器で聞くことができる。
【００３２】
一方、モード選択手段１４により第１のモードが選択されていない場合は（ステップＳ１１０）、モード選択手段１４によって選択された動作モードが第２のモードか否かを次に判断する（ステップＳ１４１）。第２のモードが選択されている場合には、情報転送センタ３を呼び出すことなく、表示手段１９に情報転送センタ３に未転送のメッセージが記憶されている旨を表示させる（ステップＳ１４２）。この場合において、情報転送センタ３に記憶されている未転送メッセージを受信側記憶手段１２に転送記憶させたいときは、例えば操作キー２０により第２信号生成手段１６及び自動呼出手段１８を機能させて、ステップＳ１１１〜Ｓ１１４と同様に、情報転送センタ３から電話機１あての未転送メッセージを転送させ受信側記憶手段１２に記憶させてもよい。
【００３３】
また、モード選択手段１４によって選択された動作モードが第２のモードでない場合（ステップＳ１４１）、すなわち第３のモードである場合、予め設定した時刻に第２信号生成手段１６及び自動呼出手段１８を機能させて、情報転送センタ３から電話機１あての未転送メッセージを転送させ受信側記憶手段１２に記憶させる。（ステップＳ１５１）。この場合、情報転送センタ３から音声メッセージを受信するように設定する時刻を例えば深夜に設定すれば、安価な通信線利用費で音声メッセージを録音することができる。第３のモードにおける情報転送センタ３の呼出は、電話機１が情報転送センタ３からの前情報信号を受信した後に、図示しないタイマにより予め設定した時間に達したとき行われるよう設定することもできる。ここでは、第３のモードを他の動作モードと独立した動作モードとして説明したが、たとえば第３のモードを第２のモードの下位モードとして第２のモードの選択を前提条件としてもよい。
【００３４】
本発明の他の実施形態として、情報転送センタ３からの前情報信号５６を受信し、検出手段１７によってこの信号を検出し、情報転送センタ３に他の電話機５から電話機１に対して送信された転送情報が記憶されている旨を認識した後、自動呼出手段１８により情報転送センタ３を自動的に発呼することなく、その通話内において第２信号生成手段１６において生成した転送要求信号を、情報転送センタ３に送信し、情報転送センタ３から転送される情報を受信側記憶手段１２に記憶することも可能である。この場合、情報転送センタ３を自動的に発呼する自動呼出手段１８は、第１のモード以外の他の動作モードにおいて用いられる。転送要求信号にＰＢ信号が用いられる場合は、ＰＢ信号生成手段１５が第２信号生成手段１６の機能を兼用する構成としてもよい。
【００３５】
また、情報転送センタ３から送信する前情報信号５６に、受信側通信端末のリンガーの鳴動を禁止する信号を含ませておくと、電話機１はリンガー信号の報知音を発することなく、センタ側記憶手段３２に音声メッセージが記憶されていることを認識できる。これにより、深夜の音声メッセージの送信に際しても何ら騒音等の支障はない。さらに受信側記憶手段１２としてＩＣメモリのように機械的な駆動によらないメモリを用いると、騒音に関しては一層効果的である。
【００３６】
また、管理手段１３が受信側記憶手段１２の空き領域がない、あるいは十分な空き領域がない場合と判断したとき、モード選択手段１４が通常のモードである第１のモードから第２のモードに切り換えるように構成してもよい。第１のモードが選択させている場合において、電話機１がある音声メッセージの受信している時に、受信側記憶手段１２の空き領域が十分でないと管理手段１３が判断したとき、その音声メッセージの受信を中止し、受信途中の音声メッセージは受信できなかった音声メッセージとすると同時に、動作モードを第２のモードに切り換えるよう構成してもよい。
【００３７】
また、本発明の通信システムおよび通信端末によれば、音声メッセージを情報転送センタのセンタ側記憶手段と受信側通信端末の受信側記憶手段とに分割して記憶できるため、単体の通信端末に比べて多量の音声メッセージを記憶し保管することができる。また、管理手段１３を設けて受信側記憶手段１２の使用状況を管理し、受信側記憶手段１２の空き領域がない場合あるいは十分な空き領域がない場合に、最も古い録音メッセージから順次消去を行う又はこの上に新しい音声メッセージを上書きするよう構成してもよい。
【００３８】
以上に説明した本発明の実施の形態においては、受信側通信端末として電話機の例を示したが、受信側通信端末がファクシミリ装置である場合にも応用できる。たとえば電話機１がファクシミリ機能を有する場合、受信側通信端末の回線が使用中に、他のファクシミリからファクシミリ画像が送信されてきた場合であっても、他のファクシミリ装置からのファクシミリ画像の情報を情報転送センタ３のセンタ側記憶手段３２に記憶しておき、受信側通信端末が回線を使用していないときに情報転送センタ３から他のファクシミリ装置からのファクシミリ画像の情報を受信することにより、ファクシミリ装置をより有効に活用することができる。
【００３９】
なお、上述の実施の形態は本発明に好適な実施の一例を公衆回線を使用した場合を例に示したものであるが、本発明はこれに限定されるものでなく、構内交換機（ＰＢＸ）におけるシステムをはじめ、携帯電話、ＰＨＳおよび、他の情報端末への適用が可能であり、他の技術構成についても本発明を逸脱しない範囲において種々の変形実施が可能である。なお、本発明の明細書に用いている「録音」とは音声の録音に限定されるものでなく、ファクシミリ情報や映像情報等の記憶メディアへの蓄積も含まれるものであり、各種情報の記憶を意味するものである。
【００４０】
【発明の効果】
本発明の情報システムでは、発信側通信端末からの呼出に対して受信側通信端末が応答できない場合は、発信側通信端末からの発信情報を受信側通信端末に代わって情報転送センタが記憶し、発信側通信端末からの発信情報を代行記憶した旨の通知信号を受信側通信端末に送信する一方、この送信された通知信号を検出した受信側通信端末は、情報転送センタを自動的に呼び出し、情報転送センタに代行記憶された情報の転送させて記憶するので、ユーザによる面倒な操作が不要となり、またキャッチホンサービス等の特別なサービスを利用することもなく、例えばユーザが外出から戻ったときには、情報転送センタに音声メッセージが録音されているかを確認することなく、単に留守録音のメッセージのみを確認すればよくなる。
【００４１】
また、本発明の通信端末では、情報転送システムからの前情報信号において通知信号を検出する検出手段と、この通知信号を検出したときに情報転送センタを自動的に呼び出す自動呼出手段と、情報転送センタに代行記憶された情報の転送を要求する転送要求信号を生成する第２信号生成手段と、情報転送センタから転送された情報を記憶する受信側記憶手段とを有するので、前記システムにおいて有用に使用できる。
【図面の簡単な説明】
【図１】  本発明に係る通信システムおよび通信端末の実施の形態における概略的構成を示すブロック図である。
【図２】  受信側通信端末における前情報信号の受信方法を示す概念図である。
【図３】  本発明に係る通信システムおよび通信端末の動作例を示したフローチャートである。
【符号の説明】
１  電話機（受信側通信端末）
３  情報転送センタ
４  交換機
５  他の電話機（発信側通信端末）
６  無線基地局
７  他の携帯通信端末
８  インターネット網
１１  制御手段
１２  受信側記憶手段
１３  管理手段
１４  モード選択手段
１５  ＰＢ信号生成手段
１６  第２信号生成手段
１７  検出手段
１８  自動呼出手段
１９  表示手段
２０  操作キー
３１  制御手段
３２  センタ側記憶手段
３３  第１信号生成手段
３４  送信手段
【図１】
0003868323.tif 000002
【図２】
0003868323.tif 000003
【図３】
0003868323.tif 000004